(57)【要約】【課題】横置き縦置き可能で、蓄熱を低減する電子機器収納装置を提供する。【解決手段】複数の放熱穴を有した筐体１の側面に、その上辺及び下辺を含んで、それぞれの側面表面より内側に凹んだ上辺凹部２ａと、下辺凹部２ｂを形成する。又、下辺凹部２ｂを挟持可能で取り外し可能なＵ字型の脚３を備える。脚３の底面には、空気流入口となる溝６、及び窓７を形成する。縦置きにする場合は、脚３で下辺凹部２ｂを挟持する。空気は、溝６、窓７、筐体底面の放熱穴から筐体内部に流入し、上部の放熱穴１ｃから抜ける。横置きにする場合は、脚３を取り外し一方の側面を下にして机上に置く。空気は、上辺凹部２ａ、下辺凹部２ｂ内の放熱穴１ａ、及び左右に位置する上面の放熱穴１ｃ、底面の放熱穴から流入し、他方側面の放熱穴に抜け同様に蓄熱が低減される。これにより、横置き縦置き可能で、蓄熱が効果的に低減される電子機器収納装置が提供可能。【選択図】図１
2004047869.tif 000002
【特許請求の範囲】
【請求項１】
電子機器を収納し、その蓄熱を低減する電子機器収納装置であって、
少なくとも１対の側面に複数の放熱穴を有し、該１対の対向側面に、それぞれの上辺の稜を含んでそれぞれの側面の表面より内側に凹んだ上辺凹部と、それぞれの下辺の稜を含んでそれぞれの側面の表面より内側に凹んだ下辺凹部を有した筐体と、
前記下辺凹部を挟持可能で、取り外し可能なＵ字脚とからなり、
前記電子機器を縦置きにも横置きにも設置可能とすることを特徴とする電子機器収納装置。
【請求項２】
前記Ｕ字脚はその底部に、空気流入口である窓部、及び／又は溝部を有することを特徴とする請求項１に記載の電子機器収納装置。
【請求項３】
前記窓部は前記Ｕ字脚の設置面に対して間隙を有しており、その間隙に連続する前記Ｕ字脚の対向する一対の側面に設けられた窓が形成されていることを特徴とする請求項２に記載の電子機器収納装置。
【請求項４】
前記筐体は、その底面にのみ前記Ｕ字脚と嵌合する穴、又は突起部を有することを特徴とする請求項１乃至請求項３の何れか１項に記載の電子機器収納装置。
【請求項５】
前記筐体は、端子面以外の全ての面に前記放熱穴を有することを特徴とする請求項１乃至請求項４の何れか１項に記載の電子機器収納装置。
【請求項６】
前記Ｕ字脚はその内側側面に、前記筐体側面に設けられた放熱穴と嵌合する突起を有することを特徴とする請求項１乃至請求項５の何れか１項に記載の電子機器収納装置。
【発明の詳細な説明】
【０００１】
【発明の属する技術分野】
本発明は、電子機器を収納しその電子機器による蓄熱を低減させる電子機器収納装置に関する。特に、縦置き横置きが可能で、そのいずれの場合においても放熱穴が閉塞されず効率よく空気が循環する構造とし、効率よく蓄熱を低減する電子機器収納装置に関する。本発明は、ＣＡＴＶケーブルモデムの収納装置に適用できる。
【０００２】
【従来の技術】
近年、電子機器には高性能ＬＳＩが搭載され、その発熱による蓄熱が問題となっている。それは、蓄熱により高性能ＬＳＩ等の動作が保証されない場合があるからである。その為、従来より例えば図８に示すような蓄熱を低減する電子機器収納装置が提案されている。これは、筐体側面９０に放熱用の凹凸８０を設け、又、放熱穴７０を端子面に設けることによって蓄熱を低減させる１例である。又、この電子機器（例えばケーブルモデム）は縦置きで使用するため、その底部６０に２つの脚１００をネジ１１０で取り付ける構造となっている。
【０００３】
【発明が解決しようとする課題】
しかしながら、近年の高速処理が要求される各ＬＳＩの発熱は、高速高性能化と共にますます増大し、従来の空気循環を考慮していない電子機器収納装置では装置内の温度が所定値を越えることが予想される。即ち、高速高性能ＬＳＩに対応する収納装置とはいえなかった。
又、従来の電子機器収納装置は縦置きを前提にして設計されているため、横置き使用することができなかった。即ち、電子機器の設置には縦方向の空間を確保する必要があり、必ずしも利便性に優れたものとは云えなかった。
【０００４】
本発明は、上述した問題点を解決するためになされたものであり、その目的は筐体に空気流入口である凹部と多数の放熱を穴を設け、又、Ｕ字脚にも空気流入経路となる溝と窓を設けて空気循環を考慮し、従来より放熱効率のよい電子機器収納装置を提供することである。即ち、高速高性能ＬＳＩに対応する電子機器収納装置を提供することである。
又、電子機器の縦置き、横置きを可能とする構造とし、使用の利便性を向上させることである。
又、筐体底面とＵ字脚に互いに嵌合する穴と突起をそれぞれ設け、電子機器の天地反転を防止し、電子機器の誤動作を防止することである。
又、Ｕ字脚内側側面に筐体側面の放熱穴と嵌合する突起を設け、ネジ止めなしで容易に固定可能、又は離脱可能なより利便性に優れた電子機器収納装置を提供することである。
尚、上記目的は、個々の発明が達成する個々の目的であって、個々の発明が全ての目的を達成するものと解釈されるべきではない。
【０００５】
【課題を解決するための手段・作用および効果】
上記課題を解決するために請求項１の電子機器収納装置は、電子機器を収納しその蓄熱を低減する電子機器収納装置であって、少なくとも１対の側面に複数の放熱穴を有し、該１対の対向側面に、それぞれの上辺の稜を含んでそれぞれの側面の表面より内側に凹んだ上辺凹部と、それぞれの下辺の稜を含んでそれぞれの側面の表面より内側に凹んだ下辺凹部を有した筐体と、その下辺凹部を挟持可能で取り外し可能なＵ字脚とからなり、電子機器を縦置きにも横置きにも設置可能とすることを特徴とする。
【０００６】
本発明の電子機器収納装置の筐体は、少なくとも１対の側面に複数の放熱穴を有し、その１対の側面に、それぞれの上辺の稜を含んでそれぞれの側面の表面より内側に凹んだ上辺凹部と、それぞれの下辺の稜を含んでそれぞれの側面の表面より内側に凹んだ下辺凹部を有している。そして、電子機器を縦置きに設置する場合はＵ字脚のＵ字部を、その下辺凹部に嵌合させて挟持する。この時、空気は少なくとも筐体側面の下部の放熱穴から流入し、電子機器内部を経由し側面上部の放熱穴、又は、例えば上面に設けられた放熱穴に抜ける。これにより、空気が循環し効率よく蓄熱が低減される。
又、縦方向に十分なスペースがない場合は、Ｕ字脚を外して横置きに設置する。即ち、側面の片方を下にして例えば机上に置く。この時、放熱穴の一部は机によって塞がれた状態となるが、凹部の放熱穴は塞がれることはない。即ち、空気は、この凹部（机との隙間）の放熱穴から流入し、内部を経由して上部（他方の側面）の放熱穴から抜ける。よって、電子機器を縦置きにも横置きにも設置可能とすることができる利便性のよい電子機器収納装置となる。
【０００７】
又、請求項２に記載の電子機器収納装置は請求項１に記載の電子機器収納装置であって、Ｕ字脚はその底部に、空気流入口である窓部及び／又は溝部を有することを特徴とする。請求項１に記載の電子機器収納装置は、少なくとも筐体の１対の側面に複数の放熱穴を有している。換言すれば、他の面、例えば筐体上面、筐体底面にも当然、放熱穴を形成することができる。本発明は、この場合に有効となる。即ち、Ｕ字脚がその底部に、空気流入口である窓部及び／又は溝部を有すれば、空気はこの窓部及び／又は溝部から、例えば筐体底面に設けられた放熱穴を経由して内部に入り、筐体側面、及び／又は筐体上面の放熱穴から抜けることができる。即ち、より効果的に電子機器の蓄熱を低減することができる。
又、請求項３に記載の電子器機収納装置は、請求項２において、窓部はＵ字脚の設置面に対して間隙を有しており、その間隙に連続するＵ字脚の対向する一対の側面に設けられた窓が形成されていることを特徴とする。この構成により電子器機の設置面と窓との間に間隙が形成され、この間隙がＵ字脚の側面に形成された窓につながっているので、Ｕ字脚の側面の窓から流入した空気が設置面と窓との間の間隙を通り、窓を通過して窓から上部に流れ電子器機収納装置の底面に形成された複数の放熱穴からその内部に流入する。これにより縦置時に、効果的な放熱効果を得ることができる。
さらに、Ｕ字脚の内側面の一部と筐体側面との間に間隙が形成されるようにＵ字脚の内側面に凹部を底面や側面の窓に連続して形成しても良い。この場合には窓から流入した空気はこの間隙を上昇して筐体に形成された放熱穴から筐体内部に流入することができ、Ｕ字脚により冷却が阻害されることがより効果的に防止される。
【０００８】
又、請求項４の電子機器収納装置は請求項１乃至請求項３の何れか１項に記載の電子機器収納装置であって、筐体はその底面にのみＵ字脚と嵌合する穴、又は突起部を有することを特徴とする。電子機器は、天地を反転するとその熱循環によりその動作が保証されない場合がある。例えば、所定温度以下で動作が保証された素子を電子機器収納装置の上部に位置すると、その周囲温度が熱蓄積により所定値以上に上昇する場合がある。その場合、その素子動作は保証されない。従って、電子機器は正しく設置される必要がある。
このような場合に、本発明の電子機器収納装置は有効である。即ち、筐体はその底面にのみＵ字脚と嵌合する穴、又は突起部を有しているので、筐体の上辺凹部にＵ字脚が誤まって取り付けられることはない。即ち、電子機器は天地反転して設置されることはない。即ち、電子機器を正しく設置することができる。
なお、筐体はその底面にのみＵ字脚と嵌合する穴とは、筐体の底面の放熱穴は他の放熱穴と大きさが等しくてＵ字脚に設けられた突起と勘合でき、筐体の上面の放熱穴のうちＵ字脚に設けられた突起と勘合する位置に当たる放熱穴だけが小さく形成されていてＵ字脚に設けられた突起がこの穴に勘合しないように場合も含む。逆に、筐体の上面の放熱穴は他の放熱穴と大きさが等しくてＵ字脚に設けられた突起と勘合することはできず、筐体の底面の放熱穴のうちＵ字脚に設けられた突起と勘合する位置に当たる放熱穴だけが大きく形成されていてＵ字脚に設けられた突起がこの穴に勘合する場合も含む。筐体に突起を設けＵ字脚に凹部や穴を設けて、勘合させる場合も同様である。
【０００９】
又、請求項５の電子機器収納装置は請求項１乃至請求項４の何れか１項に記載の電子機器収納装置であって、筐体は端子面以外の全ての面に放熱穴を有することを特徴とする。これにより、端子面の強度を維持しつつ、より効率よく蓄熱を低減することができる。
又、請求項６の電子機器収納装置は請求項１乃至請求項５の何れか１項に記載の電子機器収納装置であって、Ｕ字脚はその内側側面に筐体側面に設けられた放熱穴と嵌合する突起を有することを特徴とする。
Ｕ字脚の筐体底面への取り付け時には、この突起が一部の放熱穴に嵌合して、Ｕ字脚が筐体に固定される。即ち、従来のようにネジでＵ字脚を固定する必要がない。即ち、Ｕ字脚の取り外しが容易な更に利便性に優れた電子機器収納装置とすることができる。尚、Ｕ字脚の筐体上部への取り付け時には、突起が一部の放熱穴に嵌合せず、Ｕ字脚が筐体に固定されない構造とすることができる。即ち、請求項３と同等の天地反転を防止する効果もある。
【００１０】
【発明の実施の形態】
以下、本発明の実施の形態について図面を参照して説明する。なお、本発明は下記実施例に限定されるものではない。
（実施例）
図１に本実施例の電子機器収納装置を示す。図はその鳥瞰図である。この例は、電子機器をＣＡＴＶモデム等の通信機器及び／又は通信回路とした例であるが、電子機器は通信機器及び／又は通信回路に限定するものではない。勿論、発熱を伴うコンピュータ装置、特にＣＰＵ基板であってもよい。本実施例の電子機器収納装置は、電子機器及び／又は基板等を収納する筐体１、及びその筐体１を支えるＵ字脚３から構成される。Ｕ字脚３はその側面内側に突起４、底面内側に突起５、そして底面内側に空気を流入させるための溝６、及び底面に窓７を備えている。さらに、Ｕ字脚３の一対の側面３１の下部で筐体１の設置面、例えば、机の上面との間に一対の窓３２が形成され、この窓３２により窓７と設置面との間に間隙が形成される。さらに、Ｕ字脚３の一対の側面３１の内面には一対の凹部３３が形成されている。この凹部３３は窓７、３２につながっている。これにより設置面とＵ字脚３の底面との間に間隙ができるので、外部から空気をＵ字脚３の内部に通過させることができる（図１）。
【００１１】
上記構成において、筐体１は１対の側面に複数の放熱穴１ａを有し、その１対の側面上部に上辺凹部２ａを、又１対の側面下部に下辺凹部２ｂを有している。即ち、筐体１は側面上下に凹部２を有している。又、筐体１はその底面及び上面に、図２（ａ）、（ｂ）に示すように、放熱穴１ｃ、放熱穴１ｂを有し、上面には、仮に、Ｕ字脚３を上面に勘合させた時には、Ｕ字脚３の底面に形成された突起５が当接する位置の放熱穴１３は他の放熱穴よりも小さく形成されている。これにより、Ｕ字脚３を上面に勘合させることはできず、誤って筐体１の上面にＵ字脚を取り付けることがない。筐体１の底面には、他の同一の大きさの放熱穴１ｂが形成されており、Ｕ字脚３の底面に形成された突起５はこの放熱穴１３に勘合するので、Ｕ字脚３は筐体の底面には取り付けることができる。
【００１２】
そして、電子機器を縦置きに設置する際には、Ｕ字脚３を筐体１の下辺凹部２ｂに、下辺凹部２ｂを挟持するようにＵ字脚３のＵ字部を押し込んで取り付ける。その際、Ｕ字脚３の突起４は筐体側面の放熱穴１ａと嵌合され、Ｕ字脚３の底面の突起５は筐体１の底面に設けられた放熱穴１ｂ（図２）と嵌合される。Ｕ字脚３を筐体１に取り付けた場合の電子機器収納装置の外観を図３に示す。図３（ａ）はその側面図であり、図３（ｂ）はその裏面図である。本実施例の電子機器収納装置は、Ｕ字脚３を下辺凹部２ｂを挟持するように押し込むだけで、容易に又、正しく設置される。
尚、詳細には放熱穴１ａは図４に示すような十文字型放熱穴であり、Ｕ字脚３の取り付け時には突起４が例えば十文字型放熱穴の縦方向の穴に嵌合される。又、Ｕ字脚３を誤って筐体１の上面に取り付けた場合、上面には突起５に嵌合する位置の放熱穴１３は、図２（ａ）に示すように、他の放熱穴１ｃよりも小さく形成されているので、突起５はこの放熱穴１３とは勘合しない。このために、図５に示すようにＵ字脚３と筐体１の上面には間隙Ｇが生じ、不安定となる。これにより、ユーザーは電子機器の天地反転を知ることができる。
なお、筐体１とＵ字脚３との勘合に際して、突起５とそれが勘合する筐体１の底面の放熱穴１ｂのうち、突起５と勘合する放熱穴だけを大きく形成しておいても、他の放熱穴は突起５が勘合しないような小さな穴としても良い。さらに、放熱穴と突起との関係を逆、すなわち、Ｕ字脚３の底部に勘合する穴又は凹部を形成して、筐体１の底面にこれと勘合する突起を設けても良い。
【００１３】
次に、本実施例の電子機器収納装置の効果を説明する。上記のように構成すると、筐体１の下部から上部に抜ける空気の流路が形成される。図６に空気の流れを矢印で示す。即ち、空気は、Ｕ字脚３の側面３１に形成された窓３２からＵ字脚３の内部に入り、Ｕ字脚３の底面に形成された窓７を介して、筐体１の底面に設けられた放熱穴１ｂ（図２）に流入する。又は、Ｕ字脚３の底面表面に形成され、側方に開放した溝６によりＵ字脚３と筐体１の底面との間に形成された間隙を、空気は通過して、筐体１の底面に設けられた放熱穴１ｂ（図２）に流入する。又、Ｕ字脚３の一対の側面３１の内面に形成された一対の凹部３３により筐体１の側面との間に間隙が形成される。この間隙は窓７、３２につながっているので、外部からこの間隙に空気を流入させて筐体１の側面に形成された放熱穴１ａから空気を筐体１の内部に流入させることができる。そして、これらの筐体１に流入した空気は、筐体１の側面に形成された放熱穴１ａ、及び筐体１の上面に設けられた放熱穴１ｃ（図２）から抜ける。勿論、筐体１の側面に形成された放熱穴１ａから空気が流入して、筐体１の上面に設けられた放熱穴１ｃ（図２）から抜けることにより、冷却効果が達成される。このように、空気の対流経路が形成されるので、電子機器の蓄熱が効率的に低減される。よって、本実施例の電子機器収納装置は、発熱を伴う高速高性能電子機器に対応可能となる。
【００１４】
（変形例）
以上、本発明を表わす１実施例を示したが、他にさまざまな変形例が考えられる。上記例は、電子機器を縦方向に設置する例であったが、例えば電子機器を横方向に設置したい場合がある。この様な場合は、Ｕ字脚３を取り除いて図７に示すように横置きに設置する。即ち、側面の片方を下にして例えば図示しない机上に置く。この時、側面中央の放熱穴は机によってほぼ塞がれた状態、又は空気が流入し難い状態となるが、下辺凹部２ｂ、上辺凹部２ａの放熱穴は塞がれることはない。即ち、図７の矢印で示すように、空気は机との隙間から（下辺凹部２ｂ、上辺凹部２ａの放熱穴１ａから）筐体１内に流入し、内部を経由して上面（他方の側面）の放熱穴１ａから抜ける。及び、筐体１の上面及び底面に形成された放熱穴１ｂ、１ｃから流入し、他方の側面の放熱穴１ａから抜ける。よって、電子機器を横置きにしても十分蓄熱を低減する効果がある。このように用いてもよい。
【図面の簡単な説明】
【図１】本発明の実施例に係る電子機器収納装置の構成を示す鳥瞰図。
【図２】本発明の実施例に係る電子機器収納装置の底面図（ａ）、上面図（ｂ）。
【図３】Ｕ字脚を筐体に取り付けた電子機器収納装置の側面図（ａ）、裏面図（ｂ）。
【図４】本発明の実施例に係る電子機器収納装置の側面の放熱穴拡大図。
【図５】Ｕ字脚の取り付け面を誤った場合の間隙発生説明図。
【図６】本発明の実施例に係る電子機器収納装置の空気の流入及び通過経路説明図。
【図７】変形例に係る電子機器収納装置の空気の流入及び通過経路説明図。
【図８】従来例に係る電子機器収納装置の構造図。
【符号の説明】
１…筐体
１ａ、１ｂ、１ｃ…放熱穴
２…凹部
２ａ…上辺凹部
２ｂ…下辺凹部
３…Ｕ字脚
４、５…突起
６…溝
７…窓
１３…穴
【図１】
2004047869.tif 000003
【図２】
2004047869.tif 000004
【図３】
2004047869.tif 000005
【図４】
2004047869.tif 000006
【図５】
2004047869.tif 000007
【図６】
2004047869.tif 000008
【図７】
2004047869.tif 000009
【図８】
2004047869.tif 000010